(57)【要約】【課題】低消費電力の端末においてスリープモードから確実に起動モードに移行させる。【解決手段】電源投入モードとして起動モードとスリープモードとを有する１つ以上の端末との間で無線ＬＡＮによる通信が可能な基地局を構成する無線通信装置において、周波数領域の入力信号系列に対する逆高速離散フーリエ変換処理によって時間領域の出力信号系列を得る逆高速離散フーリエ変換処理部３２と、前記スリープモードの前記端末を前記起動モードに移行させるために、前記逆高速離散フーリエ変換処理部のサブキャリアインデックスに対して同一パターンを繰返す信号系列を前記入力信号系列として前記逆高速離散フーリエ変換処理部に与えた場合の前記逆高速離散フーリエ変換処理部の出力をウェイクアップ信号として用いる制御部３７とを具備したことを特徴とする。【選択図】図１
2010118855.tif 000002
【特許請求の範囲】
【請求項１】
電源投入モードとして起動モードとスリープモードとを有する１つ以上の端末との間で無線ＬＡＮによる通信が可能な基地局を構成する無線通信装置において、
周波数領域の入力信号系列に対する逆高速離散フーリエ変換処理によって時間領域の出力信号系列を得る逆高速離散フーリエ変換処理部と、
前記スリープモードの前記端末を前記起動モードに移行させるために、前記逆高速離散フーリエ変換処理部のサブキャリアインデックスに対して同一パターンを繰返す信号系列を前記入力信号系列として前記逆高速離散フーリエ変換処理部に与えた場合の前記逆高速離散フーリエ変換処理部の出力をウェイクアップ信号として用いる制御部と
を具備したことを特徴とする無線通信装置。
【請求項２】
電源投入モードとして起動モードとスリープモードとを有する１つ以上の端末と基地局との間で無線ＬＡＮによる通信が可能な無線通信装置において、
前記基地局は、
周波数領域の入力信号系列に対する逆高速離散フーリエ変換処理によって時間領域の出力信号系列を得る逆高速離散フーリエ変換処理部と、
前記スリープモードの前記端末を前記起動モードに移行させるために、前記逆高速離散フーリエ変換処理部のサブキャリアインデックスに対して同一パターンを繰返す信号系列を前記入力信号系列として前記逆高速離散フーリエ変換処理部に与えた場合の前記逆高速離散フーリエ変換処理部の出力をウェイクアップ信号として用いる制御部とを具備し、
前記端末は、
前記スリープモード時に動作して、前記基地局から送信された前記ウェイクアップ信号を受信し、前記ウェイクアップ信号の包絡線検波出力に基づいて前記ウェイクアップ信号を検出することで、前記スリープモードから前記起動モードに移行させる電源制御部を具備する
ことを特徴とする無線通信装置。
【請求項３】
前記基地局は、前記逆高速離散フーリエ変換処理部の出力を無線ＬＡＮ帯域に周波数変換して増幅し、アンテナを介して送信する高周波送信部を具備し、
前記高周波送信部は、バイアスの変化に応じて線形性が変化する素子によって構成され、
前記制御部は、前記ウェイクアップ信号の出力時とそれ以外とで前記バイアスを変化させることを特徴とする請求項１又は２に記載の無線通信装置。
【請求項４】
前記制御部は、
前記ウェイクアップ信号の送信前に、前記端末からの送信を停止させるためのパケットを送信することを特徴とする請求項１乃至３のいずれか１つに記載の無線通信装置。
【請求項５】
前記制御部は、
前記端末からの送信を停止させるためのパケットを、前記ウェイクアップ信号を送信するチャンネルに隣接する帯域のチャンネルにおいても送信することを特徴とする請求項４に記載の無線通信装置。
【発明の詳細な説明】
【技術分野】
【０００１】
本発明は、端末の電源制御に好適な無線通信装置に関する。
【背景技術】
【０００２】
従来、ＬＡＮ（Ｌｏｃａｌ Ａｒｅａ Ｎｅｔｗｏｒｋ）技術の発達により情報機器、家電機器等のネットワーク化が進んでいる。近年、有線ＬＡＮと無線ＬＡＮとを組み合わせてネットワークを構築することも多い。
【０００３】
例えば、有線ＬＡＮに無線基地局を接続し、この基地局と複数の端末とを無線ＬＡＮを介して接続するのである。このような無線ＬＡＮでは、伝送路として電波や赤外線等を利用するので配線敷設が不要であり、ネットワークの新設やレイアウト変更が容易となるという利点がある。
【０００４】
このような無線ＬＡＮは、ＩＥＥＥ ８０２．１１の標準化によって、導入に拍車がかかっている。ＩＥＥＥ ８０２．１１においては、１９９７年に２．４ＧＨｚ帯の無線ＬＡＮ仕様が、１９９９年に５ＧＨｚ帯の無線ＬＡＮ仕様が、それぞれ完成された。これらの無線ＬＡＮ仕様では、低消費電力技術についても規格化されている。
【０００５】
ＩＥＥＥ８０２．１１規格準拠の無線通信装置は、様々な環境において使用される可能性がある。例えば、家庭内においてホーム・ネットワークの構築に利用されることが考えられる。ホーム・ネットワークでは、デジタルテレビ、ＤＶＤ、ＰＣ等のステーション（以下、ＳＴＡともいう）は、ホームサーバ等のアクセス・ポイント（以下、ＡＰともいう）に対して、無線によるアクセスを行う。これにより、ＳＴＡとＡＰとの間で、ＡＶストリーム、ＰＣネットワーク・ストリーム等のデータの無線通信が可能となる。
【０００６】
ＩＥＥＥ８０２．１１規格では、アクセスポイントが、無線ネットワーク内の各ステーションを管理する。この管理のために、アクセスポイントは、各ステーションにアソシエーション番号を割り当てると共に、各ステーションに対してマネージメントフレーム（ビーコンフレーム）を送信する。
【０００７】
一方、各ステーションは、低消費電力化のために、無線機能の電源をオフにするパワーセーブモードで動作することがある。この場合でも、例えばアクセスポイントを介して中継された自機宛のデータの有無等の確認のために、各ステーションはビーコン周期に応じた所定周期でビーコンフレームを受信する必要がある。即ち、各ステーションは、少なくとも所定周期毎に無線機能の電源をオンにしてビーコンフレームを受信する必要がある。
【０００８】
しかしながら、実使用上は、ステーションを構成するホームネットワーク機器については、本体機能の電源オン時又は極めて限られた期間にのみ、無線機能の電源をオンにすればよく、所定周期毎に電源投入される仕様では、十分な低消費電力化を達成することができない。
【０００９】
そこで、必要な場合にのみ、アクセスポイントからの無線によるウェイクアップ信号を受け付けて、各ステーションを間欠動作可能とすることが考えられる。このような間欠動作を可能とするためには、各ステーションの本体機能及び無線機能のうち無線機能の電源を制御する部分のみに常時電源を供給し、ウェイクアップ信号によって無線機能の電源をオンにする。これにより、十分な低消費電力化を達成することが可能である。例えば、特許文献１においては、所定の強度の検波出力を得ることで、ウェイクアップを行う装置が開示されている。
【００１０】
ところで、常時電力を供給する必要があることから、無線機能の電源を制御する部分についても十分な低消費電力化を図る必要がある。しかしながら、無線機能の電源を制御する部分において消費電力を削減しようとすると、回路構成上、ウェイクアップ信号の受信感度が低下してしまい、ウェイクアップ信号の検出ミスが発生して無線機能の電源をオンにすることができないことが考えられる。
【特許文献１】特開平８−１１６２８９号公報
【発明の開示】
【発明が解決しようとする課題】
【００１１】
本発明は、ウェイクアップ信号の作成に同一パターンを繰返す符号系列を採用することにより、受信感度が低い場合でも確実にウェイクアップ信号を検出して無線機能の電源をオンにさせることができる無線通信装置を提供することを目的とする。
【課題を解決するための手段】
【００１２】
本発明の一態様の無線通信装置は、電源投入モードとして起動モードとスリープモードとを有する１つ以上の端末との間で無線ＬＡＮによる通信が可能な基地局を構成する無線通信装置において、周波数領域の入力信号系列に対する逆高速離散フーリエ変換処理によって時間領域の出力信号系列を得る逆高速離散フーリエ変換処理部と、前記スリープモードの前記端末を前記起動モードに移行させるために、前記逆高速離散フーリエ変換処理部のサブキャリアインデックスに対して同一パターンを繰返す信号系列を前記入力信号系列として前記逆高速離散フーリエ変換処理部に与えた場合の前記逆高速離散フーリエ変換処理部の出力をウェイクアップ信号として用いる制御部とを具備したことを特徴とする。
【００１３】
また、本発明の他の態様の無線通信装置は、電源投入モードとして起動モードとスリープモードとを有する１つ以上の端末と基地局との間で無線ＬＡＮによる通信が可能な無線通信装置において、前記基地局は、周波数領域の入力信号系列に対する逆高速離散フーリエ変換処理によって時間領域の出力信号系列を得る逆高速離散フーリエ変換処理部と、前記スリープモードの前記端末を前記起動モードに移行させるために、前記逆高速離散フーリエ変換処理部のサブキャリアインデックスに対して同一パターンを繰返す信号系列を前記入力信号系列として前記逆高速離散フーリエ変換処理部に与えた場合の前記逆高速離散フーリエ変換処理部の出力をウェイクアップ信号として用いる制御部とを具備し、前記端末は、前記スリープモード時に動作して、前記基地局から送信された前記ウェイクアップ信号を受信し、前記ウェイクアップ信号の包絡線検波出力に基づいて前記ウェイクアップ信号を検出することで、前記スリープモードから前記起動モードに移行させる電源制御部を具備することを特徴とする。
【発明の効果】
【００１４】
本発明によれば、ウェイクアップ信号の作成に同一符号を繰返す符号系列を採用することにより、受信感度が低い場合でも確実にウェイクアップ信号を検出して無線機能の電源をオンにさせることができるという効果を有する。
【発明を実施するための最良の形態】
【００１５】
以下、図面を参照して本発明の実施の形態について詳細に説明する。
【００１６】
（第１の実施の形態）
図１は本発明の第１の実施の形態に係る無線通信装置を示すブロック図である。図２は図１中の電源制御部１６の具体的な構成を示すブロック図である。
【００１７】
図１の無線通信装置は、基地局１１及び複数の端末１２（図１では１つのみ記載）を有する。基地局１１は外部のネットワーク１０に接続されており、無線通信部１３によって、ネットワーク１０上と各端末１２との接続を中継することができるようになっている。無線通信部１３はアンテナ１４，１５を介して各端末１２との間で無線ＬＡＮを用いて信号の送受信を行うことができる。端末１２は、アンテナ１５，１４を介して無線通信部１３との間で信号の送受信を行うことができる。
【００１８】
図１の無線通信装置をホームネットワークに適用した場合には、基地局１１はアクセスポイントに相当し、端末１２はステーションに相当する。これらの基地局１１及び端末１２は、例えば、セットトップボックス、携帯情報端末、ビデオレコーダ、テレビジョン受信機等に構成することができる。
【００１９】
図１において、端末１２は、電源制御部１６、無線通信部１７、本体機能部１８及び待機電源部１９によって構成されている。本体機能部１８は、端末１２の本来の機能を実現する部分である。無線通信部１７は、無線ＬＡＮによる通信が可能であり、アンテナ１５を介して無線信号を受信し、受信した無線信号を本体機能部１８に出力すると共に、本体機能部１８から出力された信号を無線信号に変換してアンテナ１５を介して送信する。
【００２０】
これらの本体機能部１８及び無線通信部１７は、本体機能部１８及び無線通信部１７に電力を供給する図示しない電源部（以下、主電源部という）を備えている。端末１２は、低消費電力化を達成しつつ、且つ基地局１１からの動作開始要求に応答可能なように、所謂エコチップ化されている。即ち、端末１２は、本体機能部１８及び無線通信部１７の主電源部を、基地局１１からのウェイクアップ信号によってオンにすることができるように構成されている。
【００２１】
即ち、主電源部は、電源制御部１６によってオン，オフが制御されるようになっている。待機電源部１９は、主電源部のオン，オフに拘わらず、常時電力を発生して電源制御部１６に供給するようになっている。電源制御部１６は、待機電源部１９からの電力供給によって動作し、アンテナ１５の受信電波に含まれるウェイクアップ信号を検出して、主電源部のオン，オフを制御するようになっている。
【００２２】
つまり、端末１２は、電源投入のモードとして、本体機能部１８及び無線通信部１７の主電源部がオンとなる起動モードと、主電源部がオフとなるスリープモードとの２つのモードを備える。スリープモード時には、電源制御部１６のみが起床（オン）し、主電源部はオフである。これにより、十分な低消費電力化を達成することができる。そして、端末１２は、基地局１１から送信されるウェイクアップ信号を受信した場合にのみ、主電源部をオンにする。
【００２３】
図２において、電源制御部１６は、コンデンサ及びコイルによって構成される同調部２１及びダイオード、コンデンサ及び抵抗によって構成される検波部２２を有している。アンテナ１５に誘起した高周波（ＲＦ）信号は、同調部２１によって所定の周波数帯域のみが選択される。検波部２２は包絡線検波によって入力ＲＦ信号の包絡振幅である検波出力を取り出す。
【００２４】
検波出力は識別器２３に与えられ、識別器２３は検波出力を所定の周期でサンプリングし、所定の閾値とのレベルの比較によって、検波出力から論理値パターンを識別結果として取得する。識別結果は相関検出部２４に与えられる。基地局１１からのウェイクアップ信号は端末毎に所定の論理値パターンに設定されている。相関検出部２４は識別結果の論理値パターンと自機のウェイクアップ信号として予め設定されている論理値パターンとの相関を求める。相関検出部２４は、識別結果の論理値パターンと予め設定されている論理値パターンとが一致している場合に、基地局１１から自機宛のウェイクアップ信号が送信されたことを検出する。
【００２５】
相関検出部２４は、ウェイクアップ信号を受信したことを検出すると、検出信号を電源制御信号出力部２５に出力する。電源制御信号出力部２５は、ウェイクアップ信号が検出されたことが示されると、無線通信部１７及び本体機能部１８の主電源をオンするための電源制御信号を発生して出力する。なお、図２には図示していないが、各信号処理ブロックの間には、適宜アンプを挿入することができる。
【００２６】
このように、図２の電源制御部１６は、基地局１１からのＲＦ信号をモニタし、自機宛のウェイクアップ信号を受信したことを検出し、受信した場合には主電源部をオンにして起動モードにするための電源制御信号を出力する。
【００２７】
ところで、端末１２はスリープモード時においても電源制御部１６には電力が供給される。従って、低消費電力化のためには、電源制御部１６は消費電力が小さい簡易な回路構成とする必要がある。例えば、消費電力を十分に抑制するために、ウェイクアップ信号としては低レートのオン−オフ・キーイング（on-off keying）波形であることが望ましい。しかしながら、このような簡易な回路構成を採用することから、電源制御部１６の同調部２１及び検波部２２からなる高周波部の受信感度は、比較的低くなってしまう。
【００２８】
そこで、基地局１１からのウェイクアップ信号については、包絡波高値をなるべく大きくする必要がある。ところが、無線ＬＡＮでは、一般的に、送信パケットのピーク振幅を低減する工夫がなされており、包絡振幅は比較的小さい。また、ウェイクアップ信号は、基地局１１及び端末１２の無線通信部１３，１７の無線システムの仕様に即している必要がある。他の無線ＬＡＮ機器との互換性を確保するために、無線通信部１３，１７は、無線ＬＡＮの仕様に応じてウェイクアップ信号を生成する必要があるのである。
【００２９】
即ち、基地局１１の無線通信部１３は、無線ＬＡＮの仕様に準拠しつつ、オン−オフ・キーイング波形のウェイクアップ信号を発生する必要があり、しかも発生するウェイクアップ信号は十分に大きな包絡波高値を有するものである必要がある。そして、無線ＬＡＮを実現する既存の回路構成に追加する回路はなるべく少ないことが望ましい。
【００３０】
図３は図１中の無線通信部１３の具体的な構成を示すブロック図である。また、図４は実施の形態を説明するための波形図である。
【００３１】
先ず図４を参照して、無線通信部１３において発生させるウェイクアップ信号について説明する。図４（ａ）は通常の無線ＬＡＮパケットの時間応答波形を示し、図４（ｂ）は図３（ａ）のパケットを受信した場合における包絡線検波出力を示している。また、図４（ｃ）はウェイクアップ信号の無線ＬＡＮパケットの時間応答波形を示し、図４（ｄ）は図３（ｃ）の信号を受信した場合における包絡線検波出力を示している。
【００３２】
無線通信部１３，１７が採用する無線ＬＡＮでは、送受信する無線信号としてＯＦＤＭ信号を用いる。図４（ａ），（ｃ）は、ＯＦＤＭ信号を伝送する無線ＬＡＮパケットを示している。ＯＦＤＭ信号の無線ＬＡＮパケットは、先頭に既知の信号系列であるプリアンブル部が配置され、このプリアンブル部に続けてデータ部が配置される。図４（ｂ）は、太線によって、図４（ａ）のＯＦＤＭ信号（破線）を受信した場合における図２の検波部２２の包絡線検波出力を示している。
【００３３】
図４（ｃ）はデータ部のレベルに変化がある例を示している。図４（ｃ）の無線ＬＡＮパケットは、比較的大きい振幅のパルス状の部分と十分に小さい振幅で比較的長い期間の部分とが繰返された波形を有する。無線ＬＡＮパケットは平均的な送信電力が略一定であり、振幅が０又は小さい部分が比較的長い期間連続することから、パルス状の部分の振幅が大きくなる。図４（ｃ）の無線ＬＡＮパケットを包絡線検波すると、検波出力は図４（ｄ）に示すものとなる。
【００３４】
図４（ｄ）の包絡線検波出力の振幅は、図４（ｂ）の包絡線検波出力の振幅よりも十分に大きい。識別器２３は、各無線ＬＡＮパケットの包絡線検波出力を所定のレベルと比較することによって、論理値を判定する。従って、包絡線検波出力の振幅が大きいほど、識別器２３における識別精度を向上させることができる。
【００３５】
そこで、本実施の形態の無線通信部１３は、パルス状のピークが一定間隔で現れる無線ＬＡＮパケットを組み合わせて、ウェイクアップ信号となるパターンを生成するようになっている。
【００３６】
図３において、無線通信部１３は、各端末１２との間で送信するデータをＯＦＤＭ信号の無線ＬＡＮパケットに変換するものである。送信データはマッピング部３１に与えられる。マッピング部３１は、例えばＰＳＫ変調又はＱＡＭ変調等によって、情報データを情報シンボルデータ（Ｉデータ，Ｑデータ）に変換する。マッピング部３１からの情報シンボルデータは逆高速離散フーリエ変換（ＩＦＦＴ）回路３２に与えられる。
【００３７】
ＩＦＦＴ回路３２は入力されたＮ個のデータを用いて逆高速離散フーリエ変換（以下、ＩＦＦＴという）処理することにより、ＯＦＤＭ被変調波（ＯＦＤＭシンボル）を作成して低域通過フィルタ３３に出力する。低域通過フィルタ３３は入力されたＯＦＤＭシンボルの高調波成分を除去してＤ／Ａ変換器３４に出力する。Ｄ／Ａ変換器３４は、入力されたＯＦＤＭシンボルをアナログ信号に変換して、周波数変換部３５に出力する。
【００３８】
周波数変換部３５は、制御部３７に制御されて、ＯＦＤＭシンボルを無線ＬＡＮの高周波数帯の信号に変換して、パワーアンプ３６に出力する。パワーアンプ３６は、制御部３７に制御されて、ＯＦＤＭシンボルを増幅してアンテナ１４から送信する。周波数変換部３５及びパワーアンプ３６によって高周波送信部が構成される。
【００３９】
なお、周波数変換部３５及びパワーアンプ３６を構成するトランジスタや電界効果トランジスタは、バイアスの制御により線形性を変化させることが可能である。例えば、ドレイン電流を増加させバイアスを変化させることで、歪み量が同一の条件下においても出力電力を大きくすることができる。そこで、ウェイクアップ信号の送信時には、周波数変換部３５及びパワーアンプ３６のバイアスの切換を行うことで、線形性を向上させて、波高値が大きい無線ＬＡＮパケットが歪むことを防止することができる。
【００４０】
このように、送信データは、マッピング部３１において、複素の符号系列の情報シンボルデータに加工されてＩＦＦＴ回路３２に供給され、ＩＦＦＴ回路３２において時間領域の信号に変換されて、図４（ａ），（ｃ）の時間波形が得られる。
【００４１】
ＯＦＤＭ被変調波は、多数のサブキャリアによって構成されている。各サブキャリアにマッピング部３１からの情報シンボルデータを割当て、ＩＦＦＴ処理することによってベースバンドのＯＦＤＭ被変調波が得られる。サブキャリアの数は使用するＩＦＦＴ回路のポイント数Ｎによって決定される。各サブキャリアは、周波数順のサブキャリアインデックスによって特定される。
【００４２】
本実施の形態においては、図４（ｃ）の時間波形を得るために、制御部３７は、マッピング部３１によって生成される符号系列が、ＩＦＦＴ回路３２のサブキャリアインデックスに対して、同一符号系列が繰り返すような系列となるように制御する。
【００４３】
図５はマッピング部３１から出力されるこのような符号系列を説明するための説明図である。図５はＩＦＦＴ回路３２に入力される信号系列と、ＩＦＦＴ回路３２から出力される信号系列を示している。入力信号系列は周波数領域の信号系列（Ｘ１, Ｘ２, Ｘ３, Ｘ４, …, ＸＮ）であり、出力信号系列は時間領域の信号系列（ｘ１，ｘ２，ｘ３，ｘ４，…，ｘＮ）である。ＩＦＦＴ回路３２は、周波数領域上のＮ個の信号系列を夫々Ｎ個のサブキャリアに割り当ててＩＦＦＴ処理を行う。入力信号系列の添え字１〜Ｎは、サブキャリアインデックスに対応する。
【００４４】
本実施の形態においては、ウェイクアップ信号については、ＩＦＦＴ回路３２に与える入力信号系列として同一パターンを繰返す信号系列を用いる。例えば、ＩＦＦＴ回路３２のサブキャリアを１６個とすると、１６個の入力信号系列（Ｘ１, Ｘ２, Ｘ３, Ｘ４, …, Ｘ１６）として（Ｓ１，Ｓ２，Ｓ３，Ｓ４，Ｓ１，Ｓ２，Ｓ３，Ｓ４，Ｓ１，Ｓ２，Ｓ３，Ｓ４，Ｓ１，Ｓ２，Ｓ３，Ｓ４）を採用する。なお、繰返し周期は適宜設定可能である。
【００４５】
ＩＦＦＴ回路３２において、このような同一パターンが繰返される信号系列に対してＩＦＦＴ処理を行うと、出力信号系列は繰り返し周期で所定振幅のパルス状のピークが発生し、他の期間は振幅が０となる。例えば、上述した（Ｓ１，Ｓ２，Ｓ３，Ｓ４）を繰返す入力信号系列の場合には、出力信号系列は、（ａ１,０，０，０，ａ２,０，０，０，ａ３,０，０，０，ａ４,０，０，０）となる。こうして、図４（ｃ）に示す時間波形の出力が得られる。上述したように、このような時間波形の出力は、振幅が０以外の信号サンプルに電力が集中し、これによって、波高値が大きい無線ＬＡＮパケットが得られる。
【００４６】
次に、このように構成された実施の形態の動作について図６を参照して説明する。図６はウェイクアップ信号の符号列を示すタイミングチャートである。
【００４７】
いま、所定の端末１２がスリープモードであるものとする。基地局１１においてスリープモードの端末１２に送信すべきデータが発生するものとする。この場合には、基地局１１は当該端末１２に対してウェイクアップ信号を送信する。即ち、無線通信部１３の制御部３７は、マッピング部３１を制御して、同一パターンが繰返される信号系列を発生させる。ＩＦＦＴ回路３２はこの入力信号系列にＩＦＦＴ処理を施すことで、繰り返し周期でパルス状のピークを有し、他の期間はレベルが十分に小さいＯＦＤＭ被変調波を生成する。このＯＦＤＭ被変調波は、低域通過フィルタ３３によって高域が除去され、Ｄ／Ａ変換器３４によってアナログ信号に変換され、周波数変換部３５によって無線ＬＡＮの高周波帯域に変換された後、パワーアンプ３６によって増幅されてアンテナ１４から出力される。
【００４８】
図６はこうして生成されたウェイクアップ信号を示している。無線ＬＡＮパケットはプリアンブル部及びデータ部によって構成され、データ部は、同一パターンを繰返す入力信号系列によって発生されたＯＦＤＭ被変調波である。このようにデータ部における波高値が十分に大きい無線ＬＡＮパケットを、ウェイクアップ信号のパターンに応じて配置することでウェイクアップ信号が生成される。図６は論理値“１１０１０１１…１”であるウェイクアップ信号を示している。
【００４９】
スリープモードの端末１２は、待機電源部１９によって電源制御部１６のみは動作している。電源制御部１６は、アンテナ１５の出力から同調部２１において無線ＬＡＮの高周波帯域を選択し、検波部２２において包絡線検波を行う。包絡線検波出力は識別器２３に与えられ、識別器２３は所定の閾値との比較によって、包絡線検波出力を論理値に変換する。上述したように、無線ＬＡＮパケットのデータ部は、波高値が十分に大きいので、同調部２１及び検波部２２の精度が比較的低い場合でも、所定の閾値との比較によって、確実に論理値を識別することができる。識別器２３は、図６のウェイクアップ信号の受信によって、論理値“１１０１０１１…１”を取得する。
【００５０】
相関検出部２４は、識別器２３が検出した論理値パターンと自機のウェイクアップ信号として設定されている論理値パターンとの相関を求めて、ウェイクアップ信号を受信したことを検出する。相関検出部２４の出力は電源制御信号出力部２５に与えられ、電源制御信号出力部２５は無線通信部１７及び本体機能部１８の図示しない主電源部をオンにするための電源制御信号を出力する。こうして、スリープモードの端末１２が、基地局１１からのウェイクアップ信号によって、任意のタイミングで起床することができる。
【００５１】
このように本実施の形態においては、既存の無線ＬＡＮの送信部の回路構成を殆ど変更することなく、波高値が大きい無線ＬＡＮパケットを生成可能とし、この波高値が大きい無線ＬＡＮパケットを用いて、無線ＬＡＮの仕様に準拠した擬似的なオン・オフキーイング波形によるウェイクアップ信号を生成する。これにより、端末の受信能力が比較的低い場合でも、確実にウェイクアップ信号の受信が可能であり、スリープモードおける端末の低消費電力を十分に低下させた状態においても、確実にウェイクアップ信号を受信して起動モードに移行させることができる。
【００５２】
（第２の実施の形態）
図７は本発明の第２の実施の形態を示すタイミングチャートである。本実施の形態は図３の制御部３７の制御が第１の実施の形態と異なるのみである。
【００５３】
無線ＬＡＮでは、複数の無線ＬＡＮ端末がＲＦチャネルを共有して使用する。無線ＬＡＮ端末は、ＲＦチャネルの信号強度を監視して、他の無線ＬＡＮ端末が送信していない場合に、パケットを送信するようになっている。このため、論理値“０”に対応したオン−オフ・キーイング波形のオフ期間においては、他の無線ＬＡＮ端末は、ＲＦチャネルに空きがあると認識して、パケットを送信してしまう可能性がある。基地局１１以外の無線ＬＡＮ端末がパケットを送信すると、ウェイクアップ信号の受信波形が乱れてしまうことになる。
【００５４】
そこで、本実施の形態においては、基地局１１の無線通信部１３の制御部３７は、ウェイクアップ信号の送信前に、他の端末の送信を停止させるための無線ＬＡＮパケット（以下、停止パケットという）を送信するようになっている。無線ＬＡＮパケットには、チャンネルを占有する時間を示すタイマー値（ＮＡＶ（Network Allocation Vector））が含まれている。無線ＬＡＮの対応機器は、このタイマー値に従って送信を停止するようになっている。
【００５５】
本実施の形態においては、制御部３７において、ウェイクアップ信号の送信期間に基づいてタイマー値を設定した停止パケットを送信することで、ウェイクアップ信号を保護するようになっている。なお、図６では、ウェイクアップ信号の直前にこのような停止パケットを送信する例を示している。
【００５６】
端末１２の無線通信部１７は、停止パケットを受信すると、ウェイクアップ信号の送信に必要な一定期間だけ、無線ＬＡＮパケットの送信を停止する。即ち、起動モードの端末１２であっても、停止パケットの受信から一定期間は無線ＬＡＮパケットの送信を停止するので、基地局１１からのウェイクアップ信号は他の無線ＬＡＮパケットの影響を受けることなく、確実に受信すべき端末１２において受信可能となる。
【００５７】
このように本実施の形態においても第１の実施の形態と同様の効果が得られると共に、端末からの送信によってウェイクアップ信号が悪影響を受けることを防止して、端末において確実な受信が可能である。
【００５８】
（第３の実施の形態）
図８は本発明の第２の実施の形態を示すタイミングチャートである。本実施の形態は図３の制御部３７の制御が第１の実施の形態と異なるのみである。
【００５９】
無線ＬＡＮでは、一般的に複数のチャンネルでの通信が可能である。特定のチャンネルにおいてウェイクアップ信号を送信するために停止パケットを発生させた場合でも、このチャンネルに隣接する帯域のチャンネルによって無線ＬＡＮパケットが送信されることが考えられる。上述したように、電源制御部１６は、低消費電力の観点からできる限り簡易な回路構成であることが望まれ、電源制御部１６のＲＦ部におけるチャネル選択度は比較的低いことが考えられる。
【００６０】
チャネル選択度が比較的低い場合には、ウェイクアップ信号を送信するチャンネルに隣接するチャンネルによって送信された無線ＬＡＮパケットの信号電力の影響によって、ウェイクアップ信号を正常に受信することができないことが考えられる。
【００６１】
そこで、本実施の形態においては、制御部３７はウェイクアップ信号を送信するチャンネルだけでなく、当該チャンネルに隣接する帯域のチャンネルについても停止パケットを送信して、他の端末からの無線ＬＡＮパケットの送信を停止させるようになっている。
【００６２】
図８は本実施の形態における停止パケットの送信例を示している。図８は中心周波数がｆａ，ｆｂ，ｆｃの各チャンネルについて、四角の枠にて示す無線ＬＡＮパケットの送信状況を示している。また、図８の最下段は中心周波数ｆｂのチャンネルの無線ＬＡＮパケットを受信するように設定された端末１２における検波部２２の包絡線検波出力を示している。
【００６３】
当該端末１２がスリープモードであるものとし、この端末１２に対して基地局１１が中心周波数ｆｂのチャンネルを用いてウェイクアップ信号を送信するものとする。即ち、基地局１１の無線通信部１３は、中心周波数ｆｂのチャンネルを用いて、停止パケットを送信した後、ウェイクアップ信号を送信する。
【００６４】
本実施の形態においては、この場合において、中心周波数ｆｂに隣接する中心周波数がｆａ，ｆｃのチャンネルについても、ウェイクアップ信号の送信前に停止パケットを送信する。図８の例では、中心周波数がｆａのチャンネル、ｆｂのチャンネル、ｆｃのチャンネルの順で順次停止パケットを送信した後、中心周波数がｆｂのチャンネルを用いてウェイクアップ信号を送信している。
【００６５】
当該端末１２は、中心周波数ｆｂのチャンネルを受信するように設定されているが、チャンネル選択度が比較的低いことから、中心周波数ｆａ，ｆｃの隣接するチャンネルの無線ＬＡＮパケットの影響を受ける。結局、当該端末１２の検波部２２の包絡線検波出力は、図８の最下段に示すものとなる。
【００６６】
図８に示すように、停止パケットの受信前は、中心周波数がｆｂのチャンネルによる無線ＬＡＮパケットの波高値だけでなく、中心周波数ｆａ，ｆｃのチャンネルによる無線ＬＡＮパケットの波高値の影響を受けた包絡線検波出力が得られている。これに対し、中心周波数がｆａ〜ｆｃのチャンネルに停止パケットが送信されるので、停止パケット受信後は中心周波数がｆｂのチャンネルによって受信されたウェイクアップ信号のみが受信され、ウェイクアップ信号に基づく包絡線検波出力が得られる。これにより、電源制御部１６は確実にウェイクアップ信号を検出して、主電源をオンにするための電源制御信号を発生することができる。
【００６７】
このように本実施の形態においては、第１の実施の形態と同様の効果が得られると共に、電源制御部のチャンネル選択度が低い端末においても、確実にウェイクアップ信号を検出することができるという効果を有する。
【図面の簡単な説明】
【００６８】
【図１】本発明の第１の実施の形態に係る無線通信装置を示すブロック図。
【図２】図１中の電源制御部１６の具体的な構成を示すブロック図。
【図３】図１中の無線通信部１３の具体的な構成を示すブロック図。
【図４】図４は実施の形態を説明するための波形図。
【図５】マッピング部３１から出力されるこのような符号系列を説明するための説明図。
【図６】第１の実施の形態の動作を説明するためのタイミングチャート。
【図７】本発明の第２の実施の形態を示すタイミングチャート。
【図８】本発明の第３の実施の形態を示すタイミングチャート。
【符号の説明】
【００６９】
１１…基地局、１２…端末、１６…電源制御部、１７…無線通信部、１８…本体機能部、１９…待機電源部。
【図１】
2010118855.tif 000003
【図２】
2010118855.tif 000004
【図３】
2010118855.tif 000005
【図４】
2010118855.tif 000006
【図５】
2010118855.tif 000007
【図６】
2010118855.tif 000008
【図７】
2010118855.tif 000009
【図８】
2010118855.tif 000010